(57)【要約】【課題】簡易な構造でフレキシブルプリント基板に外力が加わることを防止することができるフレキシブルプリント基板の取り付け構造を提供する。【解決手段】係合爪部５Ｂは、保持面５ａの法線方向に沿って本体部５Ａから立設された基部５Ｂ−１と、基部５Ｂ−１から本体部５Ａの保持面５ａの反対側に延出された梁部５Ｂ−２と、梁部５Ｂ−２の先端に設けられた係合爪５Ｂ−３とを有し、係合爪部５Ｂの基部５Ｂ−１は、保持面５ａの上方に配置された板金シャーシ８に端面が当接して撓みを規制する。【選択図】図６
2014203996.tif 000002
【特許請求の範囲】
【請求項１】
フレキシブルプリント基板をホルダに保持し、前記ホルダを介して前記フレキシブルプリント基板を取り付けるフレキシブルプリント基板の取り付け構造において、
前記ホルダは、
前記フレキシブルプリント基板を貼り付け固定する保持面を有した板状の本体部と、
前記本体部に設けられ、前記本体部の前記保持面の反対側を取り付け箇所に対向させた前記ホルダを、前記取り付け箇所に引っ掛け係合して取り付ける係合爪部とを備え、
前記係合爪部は、
前記保持面の法線方向に沿って前記本体部から立設された基部と、
前記基部から前記本体部の前記保持面の反対側に延出された梁部と、
前記梁部の先端に設けられた係合爪とを有し、
前記係合爪部の基部は、
前記保持面の上方に配置された部材に端面が当接して撓みを規制することを特徴とするフレキシブルプリント基板の取り付け構造。
【発明の詳細な説明】
【技術分野】
【０００１】
この発明は、電子機器内へのフレキシブルプリント基板（以下、ＦＰＣと適宜記載する）の取り付け構造に関する。
【背景技術】
【０００２】
例えば、特許文献１には、電子機器内の基板上にＦＰＣを取り付けるＦＰＣ用ホルダが開示されている。このホルダは、ＦＰＣを押し付けるための板状の保持板部と、この保持板部の両側から延設された一対の腕部とを有し、保持板部の一方の面でＦＰＣを基板上に押し付けるように配置され、腕部の各先端部に取り付けられた係止爪で基板上に取り付けられる。
【先行技術文献】
【特許文献】
【０００３】
【特許文献１】実公平６−３９４９７号公報
【発明の概要】
【発明が解決しようとする課題】
【０００４】
従来では、電子機器内にＦＰＣを取り付ける場合、一般的にＦＰＣを基板上に直接貼り付けるか、または、機器内部の部品上にＦＰＣを貼り付けていた。
このため、ＦＰＣ上に配置された部材が外力を受けて撓んでＦＰＣに接触した場合は、例えばＦＰＣに実装された集積回路（ＩＣ）に直接負荷が加わるため、ＩＣを損傷させる可能性があるという課題があった。
なお、ホルダでＦＰＣを基板に押し付けて保持する特許文献１の構成でも、撓んだ部材がホルダに接触した場合、ホルダを介して撓み応力がＦＰＣに加わるため、同様にＩＣを損傷させる可能性がある。
【０００５】
この発明は、上記のような課題を解決するためになされたもので、簡易な構造でＦＰＣ（フレキシブルプリント基板）に外力が加わることを防止することができるフレキシブルプリント基板の取り付け構造を得ることを目的とする。
【課題を解決するための手段】
【０００６】
この発明に係るフレキシブルプリント基板の取り付け構造は、フレキシブルプリント基板をホルダに保持し、ホルダを介してフレキシブルプリント基板を取り付けるフレキシブルプリント基板の取り付け構造において、ホルダは、フレキシブルプリント基板を貼り付け固定する保持面を有した板状の本体部と、本体部に設けられ、本体部の保持面の反対側を取り付け箇所に対向させたホルダを、取り付け箇所に引っ掛け係合して取り付ける係合爪部とを備え、係合爪部は、保持面の法線方向に沿って本体部から立設された基部と、基部から本体部の保持面の反対側に延出された梁部と、梁部の先端に設けられた係合爪とを有し、係合爪部の基部は、保持面の上方に配置された板状部材に端面が当接して撓みを規制することを特徴とする。
【発明の効果】
【０００７】
この発明によれば、簡易な構造でフレキシブルプリント基板に外力が加わることを防止することができるという効果がある。
【図面の簡単な説明】
【０００８】
【図１】この発明の実施の形態１に係るフレキシブルプリント基板（ＦＰＣ）の取り付け構造を示す図である。
【図２】図１中のＦＰＣ用ホルダの上面図である。
【図３】実施の形態１に係るＦＰＣ用ホルダの詳細な構成を示す図である。
【図４】ＦＰＣを保持したＦＰＣ用ホルダを示す斜視図である。
【図５】実施の形態１に係るＦＰＣ用ホルダ上に板金シャーシを配置した構成を示す図である。
【図６】板金シャーシとＦＰＣ用ホルダを示す図である。
【発明を実施するための形態】
【０００９】
実施の形態１．
図１は、この発明の実施の形態１に係るフレキシブルプリント基板（ＦＰＣ）の取り付け構造を示す図であり、この発明に係るＦＰＣの取り付け構造を、移動体（例えば車両）に搭載する電子機器に設けた場合を示している。また、図２は、図１中のＦＰＣ用ホルダの上面図である。図１に示す例では、機器の外部筐体１の内部に板金シャーシ２を介して基板３が設置されており、ＦＰＣ４が板金シャーシ２と基板３に跨がる箇所に取り付けられる。
【００１０】
この発明では、ＦＰＣ４がＦＰＣ用ホルダ５に保持され、ＦＰＣ用ホルダ５を介して取り付け箇所にＦＰＣ４が略平行な状態で取り付けられる。
ＦＰＣ４は、帯状のＦＰＣであり、外部筐体１と板金シャーシ２の間にあるコネクタ（不図示）に接続する側から延出して、図１に示すように板金シャーシ２および基板３側に引き出されている。
【００１１】
ＦＰＣ用ホルダ５は、図１および図２に示すように、板金シャーシ２に形成された絞り形状台座２ａと基板３に着脱自在に取り付けられ、両面テープ６によりＦＰＣ４が貼り付け固定される。ＦＰＣ用ホルダ５を介して板金シャーシ２および基板３に取り付けられたＦＰＣ４は、基板３に実装されたＦＰＣコネクタ３ａに接続される。
このように構成することで、機器内部でＦＰＣ４により占有される空間を低減することができる。
【００１２】
また、ＦＰＣ用ホルダ５は、取り付けの際に、取り付け箇所である板金シャーシ２および基板３とＦＰＣ用ホルダ５との間に所定の空間を形成するように構成されている。
これにより、例えば図２に示すようにＦＰＣ用ホルダ５の下方に配線７を通すことができ、取り付け箇所の部品実装領域が確保される。
【００１３】
図３は、実施の形態１に係るＦＰＣ用ホルダの詳細な構成を示す図であり、図３（ａ）はＦＰＣ４の保持面側から見た斜視図、図３（ｂ）は図３（ａ）の裏面側から見た斜視図である。また、図４は、ＦＰＣを保持したＦＰＣ用ホルダを示す斜視図である。
図３に示すように、ＦＰＣ用ホルダ５は、本体部５Ａ、取り付け部５Ｂ，５Ｃ、スペーサ部５Ｄ−１，５Ｄ−２およびガイド部５Ｅを備えて構成される。
【００１４】
本体部５Ａは、保持面５ａを有する樹脂製の板状部材である。保持面５ａは、ＦＰＣ４を貼り付けて固定する面であり、図３（ａ）に示すように位置決め突部５ｂ１が形成される。位置決め突部５ｂ１は、図４に示すように、ＦＰＣ４の幅方向の両側部に形成された孔部４ａに嵌合することで、保持面５ａにおけるＦＰＣ４の貼り付けを位置決めすることができる。このようにすることで、ＦＰＣ４の貼り付け位置のずれを防止でき、ＦＰＣ４をＦＰＣコネクタ３ａなどに適切に挿入することができる。
【００１５】
また、本体部５Ａは、保持面５ａに貼り付け固定されたＦＰＣ４の幅方向に対応する両側に側壁部５ｃを有する。側壁部５ｃは、ＦＰＣ４の厚みに相当する高さより高い側壁部である。例えば、取り付け部５Ｂ，５Ｃを後述するように係合爪部で構成した場合には、取り付けの際にＦＰＣ用ホルダ５を取り付け側に押して係合させる必要がある。
そこで、ＦＰＣ４の厚みに相当する高さより高い側壁部５ｃを押さえ代として利用することで、ＦＰＣ４を直接押すことなく取り付けが可能となる。
【００１６】
側壁部５ｃには、嵌合ダボ５ｄおよび位置決め突部５ｂ２が形成される。
嵌合ダボ５ｄは、ＦＰＣ用ホルダ５に金属製のカバーを取り付けるための嵌合係合部である。また、位置決め突部５ｂ２は、カバーを取り付ける際の位置決めを行うための位置決めピンである。カバーについては、図６を用いて後述する。
【００１７】
取り付け部５Ｂ，５Ｃは、ＦＰＣ用ホルダ５を取り付け箇所に着脱自在に取り付け部である。また、取り付け部５Ｂ，５Ｃは、図４に示すように本体部５Ａの保持面５ａの反対面を取り付け箇所に対向させた状態でＦＰＣ用ホルダ５を取り付ける。
なお、取り付け箇所に対するＦＰＣ用ホルダ５の位置決めは、図３（ｂ）に示すような位置決め突起部５ｂ３を、取り付け箇所に形成した嵌合穴（不図示）に嵌合させて行う。
【００１８】
図３および図４において、取り付け部５Ｂ，５Ｃは、取り付け箇所に引っ掛け係合してＦＰＣ用ホルダ５を取り付ける係合爪部である。係合爪部５Ｂ，５Ｃと適宜記載する。
係合爪部５Ｂは、ＦＰＣ用ホルダ５を取り付け箇所（図４における基板３）に引っ掛け係合して取り付ける係合爪部であり、基部５Ｂ−１、梁部５Ｂ−２および係合爪５Ｂ−３から構成される。
基部５Ｂ−１は、保持面５ａの法線方向に沿って本体部５Ａから立設された基部である。また、梁部５Ｂ−２は、基部５Ｂ−１から本体部５Ａの保持面５ａの反対側に延出された梁部であり、係合爪５Ｂ−３は梁部５Ｂ−２の先端に設けられた係合爪である。
図４に示すように、梁部５Ｂ−２を基板３に形成された孔部３ｂに挿入して係合爪５Ｂ−３で係合固定する。
【００１９】
係合爪部５Ｃは、ＦＰＣ用ホルダ５を取り付け箇所（図４における絞り形状台座２ａ）に引っ掛け係合して取り付ける係合爪部であり、基部５Ｃ−１および係合爪５Ｃ−２から構成される。基部５Ｃ−１は、本体部５Ａにおける保持面５ａの反対面（以下、裏面と記載する）に立設された基部であり、係合爪５Ｃ−２は、基部５Ｃ−１の先端に設けられた係合爪である。
【００２０】
また、係合爪部５Ｂ，５Ｃの基部５Ｂ−１，５Ｃ−１の近傍には、保持面５ａ側から裏面まで貫通した孔部ａ１，ａ２が形成されている。孔部ａ１，ａ２は、保持面５ａ側から係合爪部５Ｂ，５Ｃの係合箇所を露出させる係合解除用孔部である。
孔部ａ１，ａ２に挿入したドライバーなどの棒状物で係合爪部５Ｂ，５Ｃの係合を解除する方向の力を加えることにより、係合爪部５Ｂ，５Ｃの係合を解除できる。
このように保持面５ａ側から係合爪部５Ｂ，５Ｃの係合を解除できるので、ＦＰＣ４を保持したＦＰＣ用ホルダ５を容易に取り外すことができる。
【００２１】
なお、これまで取り付け部５Ｂ，５Ｃが係合爪部である場合を示したが、ＦＰＣ用ホルダ５と取り付け箇所にねじ穴を設けてねじ止め固定してもよく、ＦＰＣ用ホルダ５を取り付け箇所に着脱自在に取り付けることができればよい。
【００２２】
スペーサ部５Ｄ−１，５Ｄ−２は、本体部５Ａの裏面から突出して、取り付け箇所との間に空間を形成するスペーサ部であり、本体部５Ａの裏面に立設された所定の高さのリブである。所定の高さは、取り付けの際にスペーサ部５Ｄ−１，５Ｄ−２であるリブが対向する取り付け箇所の部品実装仕様、ＦＰＣ４とノイズ源となる部材との間の許容距離などを考慮して決定され、スペーサ部５Ｄ−１，５Ｄ−２がともに同じ高さでなくてもよい。
【００２３】
ガイド部５Ｅは、外部筐体１と板金シャーシ２との間にあるコネクタに接続する側から延出したＦＰＣ４を、本体部５Ａの保持面５ａにガイドするガイド部である。
図３（ａ）に示すように、ガイド部５Ｅは、本体部５Ａの一端から延設されて裏面側になだらかに傾斜した部位であって、この部位に保持面５ａから延長されたガイド面５ｅが形成されている。ＦＰＣ４は、ガイド面５ｅに沿って屈曲しながら保持面５ａまでガイドされる。このようにＦＰＣ４をガイド面５ｅに沿って屈曲させてガイドすることにより、ＦＰＣ４が撓んで他の部材に噛み込まれて損傷することを防止できる。また、ＦＰＣ４が撓まないため、周辺の部材とＦＰＣ４との距離が一定になる。
【００２４】
図５は、実施の形態１に係るＦＰＣ用ホルダ上に板金シャーシを配置した構成を示す図である。また、図６は、板金シャーシとＦＰＣ用ホルダを示す図であり、図５の板金シャーシ８をＦＰＣ用ホルダ５の周辺部のみ透かして記載している。
例えば、図５に示すようにＦＰＣ用ホルダ５の上に板金シャーシ８が配置される場合、機器に加わった外力などによって板金シャーシ８が撓むと、板金シャーシ８がＦＰＣ４に接触する場合がある。この場合、例えばＦＰＣに実装された集積回路（ＩＣ）に直接負荷が加わるため、ＩＣを損傷させる可能性がある。
【００２５】
また、係合爪部５Ｂにおいては、引っ掛け係合する際の係合爪５Ｂ−３の動作ストロークを得るために梁部５Ｂ−２を長くする必要がある。このため、保持面５ａの法線方向に沿って本体部５Ａから立設した基部５Ｂ−１に梁部５Ｂ−２を接続して、梁部５Ｂ−２を長くしている。
【００２６】
そこで、この発明では、上述した構造的な特徴に着目して、保持面５ａの上方に配置された部材（板金シャーシ８）の撓みを規制するストッパの機能を基部５Ｂ−１に持たせている。すなわち、図６に示すように、板金シャーシ８に外力が加わってＦＰＣ用ホルダ５側に撓もうとしても、ＦＰＣ用ホルダ５から上方に突出した基部５Ｂ−１の端面が、板金シャーシ８に当接して撓みが規制される。
これにより、ストッパ専用の部材を設ける必要のない簡易な構造で、撓んだ板状部材がＦＰＣ４に達して外力を加えることを防止できる。
【００２７】
以上のように、この実施の形態１によれば、ＦＰＣ用ホルダ５が、ＦＰＣ４を貼り付け固定する保持面５ａを有した板状の本体部５Ａと、本体部５Ａに設けられ、本体部５Ａの保持面５ａの反対側を取り付け箇所に対向させたＦＰＣ用ホルダ５を取り付け箇所に引っ掛け係合して取り付ける係合爪部５Ｂ，５Ｃとを備え、係合爪部５Ｂは、保持面５ａの法線方向に沿って本体部５Ａから立設された基部５Ｂ−１と、基部５Ｂ−１から本体部５Ａの保持面５ａの反対側に延出された梁部５Ｂ−２と、梁部５Ｂ−２の先端に設けられた係合爪５Ｂ−３とを有し、係合爪部５Ｂの基部５Ｂ−１は、保持面５ａの上方に配置された板金シャーシ８に端面が当接して撓みを規制する。このように構成することで、簡易な構造でＦＰＣ４に外力が加わることを防止することができる。
【００２８】
なお、本発明はその発明の範囲内において、実施の形態の任意の構成要素の変形、もしくは実施の形態の任意の構成要素の省略が可能である。
【符号の説明】
【００２９】
１  外部筐体、２，８  板金シャーシ、２ａ  絞り形状台座、２ｂ，３ｂ，４ａ  孔部、３  基板、３ａ  ＦＰＣコネクタ、４  ＦＰＣ（フレキシブルプリント基板）、４Ａ  コネクタ、５  ＦＰＣ用ホルダ、５Ａ  本体部、５Ｂ，５Ｃ  取り付け部（係合爪部）、５Ｂ−１，５Ｃ−１  基部、５Ｂ−２  梁部、５Ｂ−３，５Ｃ−２  係合爪、５Ｄ−１，５Ｄ−２  スペーサ部、５Ｅ  ガイド部、５ａ  保持面、５ｂ１〜５ｂ３  位置決め突部、５ｃ  側壁部、５ｄ  嵌合ダボ、５ｅ  ガイド面、６  両面テープ、７  配線。
【図１】
2014203996.tif 000003
【図２】
2014203996.tif 000004
【図３】
2014203996.tif 000005
【図４】
2014203996.tif 000006
【図５】
2014203996.tif 000007
【図６】
2014203996.tif 000008